(57)【要約】【課題】清掃を容易にすることができる引戸レール部材、建具、建具の施工方法および建具の改修方法を提供する。【解決手段】下枠引戸レール部材１は、障子１７に設けられた戸車１７１が転動可能な溝部５１と、溝部５１の側面の上端部の側方に設けられて戸車１７１が外れることを防止する第１障子外れ防止部（外れ防止部）５３および第２障子外れ防止部（外れ防止部）５４と、を有する。下枠引戸レール部材（引戸レール部材）１は、障子１７に設けられた戸車１７１が転動可能な溝部５１を有し、壁部（躯体）１２に固定された支持部材（下枠）６に形成された上板部（載置部）６１に載置されて、下枠本体（下枠）４に形成された第１突出部４２の第１折り返し板部４２３および第２突出部４３の第２折り返し板部４３３（一対の当接部）に側方から挟まれて当接している。【選択図】図３
2018090977.tif 000002
【特許請求の範囲】
【請求項１】
障子に設けられた戸車が転動可能な溝部と、
前記溝部の側面の上端部の側方に設けられて前記戸車が外れることを防止する外れ防止部と、を有することを特徴とする引戸レール部材。
【請求項２】
前記外れ防止部は、前記溝部の前記側面の上端部から側方へ水平に延びる溝部上水平面と、
前記溝部上水平面から斜め上方に延びる溝部上傾斜面と、を有し、
前記溝部上水平面と前記溝部上傾斜面とがなす角部が鈍角に形成されている請求項１に記載の引戸レール部材。
【請求項３】
前記溝部の底面と前記溝部の前記側面とがなす角部が鈍角に形成されていることを特徴とする請求項１または２に記載の引戸レール部材。
【請求項４】
前記溝部上水平面は、前記溝部の底面と平行に配置され、
前記溝部上傾斜面は、前記溝部の側面と平行に配置されるとともに前記溝部の側面と同じ高さ寸法に形成されている請求項１乃至３のいずれか一項に記載の引戸レール部材。
【請求項５】
障子に設けられた戸車が転動可能な溝部を有し、
躯体に固定された下枠に形成された載置部に載置されて、前記下枠に形成された一対の当接部に側方から挟まれて当接していることを特徴とする引戸レール部材。
【請求項６】
障子に設けられた戸車が転動可能な溝部を有し、
躯体に固定された下枠にネジで固定されていることを特徴とする引戸レール部材。
【請求項７】
躯体に固定された下枠と、
障子に設けられた戸車が転動可能な溝部を有する引戸レール部材と、
前記溝部の側面の上端部の側方に設けられて前記戸車が前記引戸レール部材から外れることを防止する外れ防止部と、を有することを特徴とする建具。
【請求項８】
躯体に固定された下枠と、
前記下枠に着脱可能に構成され障子に設けられた戸車が転動可能な溝部を有する引戸レール部材と、を有し、
前記下枠には、前記引戸レール部材が載置される載置部と、前記引戸レール部材を側方から挟んで当接する一対の当接部と、が形成されていることを特徴とする建具。
【請求項９】
躯体に固定された下枠と、
前記下枠にネジで固定され障子に設けられた戸車が転動可能な溝部を有する引戸レール部材と、を有することを特徴とする建具。
【請求項１０】
躯体に枠部の下枠を固定する下枠固定工程と、
前記下枠に障子に設けられた戸車が転動可能な溝部を有する引戸レール部材を設置する引戸レール部材設置工程と、
前記枠部に前記障子を設置する障子設置工程と、を有することを特徴とする建具の施工方法。
【請求項１１】
既設の枠部の下枠に障子に設けられた戸車が転動可能な溝部を有する引戸レール部材を新設する引戸レール部材設置工程と、
前記枠部に前記障子を新設する障子設置工程と、を有することを特徴とする建具の改修方法。
【発明の詳細な説明】
【技術分野】
【０００１】
本発明は、引戸レール部材、建具、建具の施工方法および建具の改修方法に関する。
【背景技術】
【０００２】
スーパーマーケットなどにおいて、食品売り場の後方にガラス引戸が設けられた壁を介して鮮魚などの生鮮食料品を加工する作業室が配置されることがある。このような場合、ガラス引戸を通して食品売り場と作業室とが互いに見通すことが可能となるとともに、ガラス引戸を開放することで食品売り場と作業室との間で物品の受け渡しが可能となる。
このようなガラス引戸などの引戸としては、障子に戸車が設けられていて、下枠に形成された溝部に沿って戸車が転動する形態のものが知られている（例えば、特許文献１参照）。
【先行技術文献】
【特許文献】
【０００３】
【特許文献１】実公昭５４−１４８０４９号公報
【発明の概要】
【発明が解決しようとする課題】
【０００４】
しかしながら、引戸の下枠は、溝部にゴミなどが溜まりやすく清掃に手間がかかるという問題がある。また、下枠に溝部から戸車が外れることを防止する機構などが設けられている場合も下枠の清掃に手間がかかるという問題がある。特に、食品を扱う空間に設けられる引戸の場合、高い清掃性を望まれている。
【０００５】
そこで、本発明は、清掃を容易にすることができる引戸レール部材、建具、建具の施工方法および建具の改修方法を提供することを目的とする。
【課題を解決するための手段】
【０００６】
上記目的を達成するため、本発明に係る引戸レール部材は、障子に設けられた戸車が転動可能な溝部と、前記溝部の側面の上端部の側方に設けられて前記戸車が外れることを防止する外れ防止部と、を有することを特徴とする。
【０００７】
本発明では、溝部の側面の上端部の側方に戸車が外れることを防止する外れ防止部が設けられていることにより、万が一、戸車が溝部から外れて溝部の側方に乗り上げた場合でも戸車が外れることを防止できる。このため、溝部の深さを浅くして、戸車が溝部の側方に乗り上げる虞があったとしても、戸車が引戸レール部材から外れて障子が下枠が設けられた枠部から外れることは防止できる。これにより、溝部の深さを浅くすることができるため、溝部の清掃を容易に行うことができる。
【０００８】
また、本発明に係る引戸レール部材では、前記外れ防止部は、前記溝部の前記側面の上端部から側方へ水平に延びる溝部上水平面と、前記溝部上水平面から斜め上方に延びる溝部上傾斜面と、を有し、前記溝部上水平面と前記溝部上傾斜面とがなす角部が鈍角に形成されていてもよい。
このような構成とすることにより、万が一、戸車が溝部から外れて溝部上水平面に乗り上げた場合でも、溝部上傾斜面に当接して側方への移動が止まるため、戸車が引戸レール部材から外れて障子下枠が設けられた枠部から外れることを防止できる。
また、溝部上水平面と溝部上傾斜面とがなす角部が鈍角に形成されていることにより、この角部が直角や鋭角に形成されている場合と比べて角部を容易に清掃することができる。
【０００９】
また、本発明に係る引戸レール部材では、前記溝部の底面と前記溝部の前記側面とがなす角部が鈍角に形成されていてもよい。
このような構成とすることにより、底面と側面とがなす角部が直角や鋭角である場合と比べて溝部を容易に清掃することができる。
【００１０】
また、本発明に係る引戸レール部材では、前記溝部上水平面は、前記溝部の底面と平行に配置され、前記溝部上傾斜面は、前記溝部の側面と平行に配置されるとともに前記溝部の側面と同じ高さ寸法に形成されていてもよい。
このような構成とすることにより、溝部の底面および側面と、溝部上水平面および溝部上傾斜面とを同じように清掃することができる。
【００１１】
本発明に係る引戸レール部材は、障子に設けられた戸車が転動可能な溝部を有し、躯体に固定された下枠に形成された載置部に載置されて、前記下枠に形成された一対の当接部に側方から挟まれて当接していることを特徴とする。
【００１２】
本発明では、引戸レール部材が下枠に形成された載置部に載置されて、下枠に形成された一対の当接部に側方から挟まれて当接していることにより、引戸レール部材を持ち上げることで引戸レール部材を下枠から取り外すことができる。これにより、引戸レール部材を下枠から取り外して清掃することができるため、引戸レール部材の清掃を容易に行うことができる。特に、引戸レール部材が掃除しにくい場所にある場合でも、下枠から取り外すことで容易に清掃することができる。
また、引戸レール部材が下枠から取り外せることにより、引戸レール部材が汚れたり破損したりして交換が必要となった場合に、下枠全体ではなく引戸レール部材のみを交換すればよいため、引戸レール部材が下枠に一体に設けられている場合と比べて、引戸レール部材の交換を容易に行うことができる。また、ネジなどの固定具を使用せずに引戸レール部材を下枠に取り付けることができるため、固定具が設けられていてその固定具が露出している場合と比べて、引戸レール部材の清掃を容易に行うことができる。
【００１３】
また、本発明に係る引戸レール部材は、障子に設けられた戸車が転動可能な溝部を有し、躯体に固定された下枠にネジで固定されていることを特徴とする。
本発明では、引戸レール部材が下枠にネジで固定されていることにより、ネジを外すことで引戸レール部材を下枠から取り外すことができる。これにより、引戸レール部材を下枠から取り外して清掃することができるため、引戸レール部材の清掃を容易に行うことができる。特に、引戸レール部材が掃除しにくい場所にある場合でも、下枠から取り外すことで容易に清掃することができる。
また、引戸レール部材が下枠から取り外せることにより、引戸レール部材が汚れたり破損したりして交換が必要となった場合に、下枠全体ではなく引戸レール部材のみを交換すればよいため、引戸レール部材が下枠に一体に設けられている場合と比べて、引戸レール部材の交換を容易に行うことができる。
【００１４】
本発明に係る建具は、躯体に固定された下枠と、障子に設けられた戸車が転動可能な溝部を有する引戸レール部材と、前記溝部の側面の上端部の側方に設けられて前記戸車が前記引戸レール部材から外れることを防止する外れ防止部と、を有することを特徴とする。
【００１５】
本発明では、溝部の側面の上端部の側方に戸車が外れることを防止する外れ防止部が設けられていることにより、万が一、戸車が溝部から外れて溝部の側方に乗り上げた場合でも戸車が外れることを防止できる。このため、溝部の深さを浅くして、戸車が溝部の側方に乗り上げる虞があったとしても、戸車が引戸レール部材から外れて障子が下枠が設けられた枠部から外れることは防止できる。これにより、溝部の深さを浅くすることができるため、溝部の清掃を容易に行うことができる。
【００１６】
本発明に係る建具は、躯体に固定された下枠と、前記下枠に着脱可能に構成され障子に設けられた戸車が転動可能な溝部を有する引戸レール部材と、を有し、前記下枠には、前記引戸レール部材が載置される載置部と、前記引戸レール部材を側方から挟んで当接する一対の当接部と、が形成されていることを特徴とする。
【００１７】
本発明では、引戸レール部材が下枠に形成された載置部に載置されて、下枠に形成された一対の当接部に側方から挟まれて当接していることにより、引戸レール部材を持ち上げることで引戸レール部材を下枠から取り外すことができる。これにより、引戸レール部材を下枠から取り外して清掃することができるため、引戸レール部材の清掃を容易に行うことができる。特に、引戸レール部材が掃除しにくい場所にある場合でも、下枠から取り外すことで容易に清掃することができる。
また、引戸レール部材が下枠から取り外せることにより、引戸レール部材が汚れたり破損したりして交換が必要となった場合に、下枠全体ではなく引戸レール部材のみを交換すればよいため、引戸レール部材が下枠に一体に設けられている場合と比べて、引戸レール部材の交換を容易に行うことができる。また、ネジなどの固定具を使用せずに引戸レール部材を下枠に取り付けることができるため、固定具が設けられていてその固定具が露出している場合と比べて、引戸レール部材の清掃を容易に行うことができる。
【００１８】
本発明に係る建具は、躯体に固定された下枠と、前記下枠にネジで固定され障子に設けられた戸車が転動可能な溝部を有する引戸レール部材と、を有することを特徴とする。
本発明では、引戸レール部材が下枠にネジで固定されていることにより、ネジを外すことで引戸レール部材を下枠から取り外すことができる。これにより、引戸レール部材を下枠から取り外して清掃することができるため、引戸レール部材の清掃を容易に行うことができる。特に、引戸レール部材が掃除しにくい場所にある場合でも、下枠から取り外すことで容易に清掃することができる。
また、引戸レール部材が下枠から取り外せることにより、引戸レール部材が汚れたり破損したりして交換が必要となった場合に、下枠全体ではなく引戸レール部材のみを交換すればよいため、引戸レール部材が下枠に一体に設けられている場合と比べて、引戸レール部材の交換を容易に行うことができる。
【００１９】
本発明に係る建具の施工方法は、躯体に枠部の下枠を固定する下枠固定工程と、前記下枠に障子に設けられた戸車が転動可能な溝部を有する引戸レール部材を設置する引戸レール部材設置工程と、前記枠部に前記障子を設置する障子設置工程と、を有することを特徴とする。
【００２０】
本発明では、躯体に固定された下枠に引戸レール部材を設けるため、建具が施工された後でも引戸レール部材を下枠から取り外すことができる。これにより、引戸レール部材を下枠から取り外して清掃することができるため、引戸レール部材の清掃を容易に行うことができる。特に、引戸レール部材が掃除しにくい場所にある場合でも、下枠から取り外すことで容易に清掃することができる。
また、引戸レール部材が下枠から取り外せることにより、引戸レール部材が汚れたり破損したりして交換が必要となった場合に、下枠全体ではなく引戸レール部材のみを交換すればよいため、引戸レール部材が下枠に一体に設けられている場合と比べて、引戸レール部材の交換を容易に行うことができる。
【００２１】
本発明に係る建具の改修方法は、既設の枠部の下枠に障子に設けられた戸車が転動可能な溝部を有する引戸レール部材を新設する引戸レール部材設置工程と、前記枠部に前記障子を新設する障子設置工程と、を有することを特徴とする。
【００２２】
本発明では、既設の下枠に引戸レール部材を設けるため、建具が改修された後でも引戸レール部材を下枠から取り外すことができる。これにより、引戸レール部材を下枠から取り外して清掃することができるため、引戸レール部材の清掃を容易に行うことができる。特に、引戸レール部材が掃除しにくい場所にある場合でも、下枠から取り外すことで容易に清掃することができる。
また、引戸レール部材が下枠から取り外せることにより、引戸レール部材が汚れたり破損したりして交換が必要となった場合に、下枠全体ではなく引戸レール部材のみを交換すればよいため、引戸レール部材が下枠に一体に設けられている場合と比べて、引戸レール部材の交換を容易に行うことができる。
また、既設の下枠を利用できることにより、建具の改修工事を短期間で行うことができる。
【発明の効果】
【００２３】
本発明によれば、清掃を容易にすることができる。
【図面の簡単な説明】
【００２４】
【図１】本発明の第１実施形態による下枠引戸レール部材および建具の一例を示す縦断面図である。
【図２】本発明の第１実施形態による下枠引戸レール部材および建具の一例を示す横断面図である。
【図３】図１のＡ部分断面図である。
【図４】本発明の第１実施形態による下枠引戸レール部材を示す図である。
【図５】本発明の第１実施形態による上枠引戸レール部材を示す図である。
【図６】本発明の第２実施形態による下枠引戸レール部材および下枠を説明する図である。
【図７】本発明の第２実施形態による上枠引戸レール部材および上枠を説明する図である。
【発明を実施するための形態】
【００２５】
（第１実施形態）
以下、本発明の第１実施形態による引戸レール部材、建具および建具の施工方法について、図１乃至図５に基づいて説明する。
図１および２に示すように、第１実施形態による下枠引戸レール部材（引戸レール部材）１は、建具１１の下枠部２に設けられている。この建具１１は、例えば、スーパーマーケットなどにおける食品売り場とその後方の鮮魚などの生鮮食料品を加工する作業室との間や、薬局における接客スペースと薬品保管室との間に設けられた壁部（躯体）１２に形成された開口部１３に設けられている。
建具１１を挟んで配置された２つの室のうち、一方側を第１室１４とし、他方側を第２室１５とする。また、以下の説明では、各部材は、建具１１が壁部１２に設けられた姿勢であるものとしている。
【００２６】
建具１１は、開口部１３の縁部に固定された矩形状の枠部１６と、枠部１６に支持されて枠部１６内において見付け方向移動可能な８枚の障子１７，１７…と、を有している。本実施形態では、障子１７，１７…はガラス戸で、下端部に下枠引戸レール部材１に沿って転動可能な戸車１７１，１７１…が設けられている。
【００２７】
枠部１６は、見付け方向に延びる下枠部２および上枠部３（図１参照）と、上下方向に延びて下枠部２および上枠部３それぞれの見付け方向の両端部に連結された一対の縦枠部１８，１８（図２参照）と、を有している。本実施形態では、枠部１６の第１室１４側および第２室１５側の両側それぞれに額縁１９，１９が設けられている。
障子１７の面に沿った水平方向を見付け方向とし、障子１７の面に直交する方向を見込み方向とする。
下枠部２には４本の溝部５１，５１…が形成され、上枠部３には４本の溝部８１，８１…（図１参照）が形成されており、１つの溝部に対して２つの障子１７，１７が配置されている。
【００２８】
図３に示すように、下枠部２は、壁部１２に固定される下枠本体（下枠）４と、下枠本体４に着脱可能に設けられて障子１７の戸車１７１が転動可能な下枠引戸レール部材１と、下枠本体４に設けられて下枠引戸レール部材１を支持する支持部材６と、を有している。
【００２９】
下枠本体４は、下枠部２の見付け方向の全体にわたって延びるように配置される長尺の部材で、見付け方向に直交する断面形状が見付け方向全体にわたって略同じ形状となるように形成されている。下枠本体４は、開口部１３の縁部に沿って配置され壁部１２に固定される固定部４１と、固定部４１の第１室１４側の縁部から上方に突出する第１突出部４２と、固定部４１の第２室１５側の縁部から上方に突出する第２突出部４３と、を有している。第１突出部４２と第２突出部４３とは見込み方向に離間している。
【００３０】
固定部４１は、上面が略水平面となるよう配置される平板状の固定板部４１１と、それぞれ固定板部４１１の上面から上方に突出する第１突出片４１２および第２突出片４１３と、を有している。
固定板部４１１は、スペーサを介してネジなどの固定具で壁部１２に固定されている。
第１突出片４１２および第２突出片４１３は、互いに見込み方向に間隔をあけて配置されている。第１突出片４１２が第１室１４側に配置され、第２突出片４１３が第２室１５側に配置されている。
【００３１】
第１突出部４２は、固定板部４１１の第１室１４側の縁部から上方に延びる第１側板部４２１と、第１側板部４２１の上縁部から第２室１５側に延びる第１上板部４２２と、第１上板部４２２の第２室１５側の縁部から下側に延びる第１折り返し板部４２３と、を有している。第１折り返し板部４２３は、第１突出片４１２の鉛直方向上側に配置されている。第１折り返し板部の下端部と第１突出片４１２の上端部とは上下方向に離間している。
【００３２】
第２突出部４３は、固定板部４１１の第２室１５側の縁部から上方に延びる第２側板部４３１と、第２側板部４３１の上縁部から第１室１４側に延びる第２上板部４３２と、第２上板部４３２の第１室１４側の縁部から下側に延びる第２折り返し板部４３３と、を有している。第２折り返し板部４３３は、第２突出片４１３の鉛直方向上側に配置されている。第２折り返し板部の下端部と第２突出片４１３の上端部とは上下方向に離間している。
【００３３】
第１上板部４２２の上面４２２ａと第２上板部４３２の上面４３２ａとは、同じ高さに配置されている。
第１側板部４２１の第１室１４側および第２側板部４３１の第２室１５側にはそれぞれ額縁１９がネジなどの固定具で固定されている。本実施形態では、額縁１９の上面１９ａは、第１上板部４２２の上面４２２ａおよび第２上板部４３２の上面４３２ａと隙間なく面一に設けられている。
【００３４】
下枠引戸レール部材１は、下枠部２の見付け方向の全体にわたって延びるように配置される長尺の部材で、見付け方向に直交する断面形状が見付け方向全体にわたって略同じ形状となるように形成されている。下枠引戸レール部材１は、幅寸法（見込み方向の寸法）が下枠本体４の第１突出部４２と第２突出部４３との間の寸法と略同じ寸法に形成されている。下枠引戸レール部材１は、高さ寸法が後述する下枠引戸レール部材用凹部４４の深さ寸法（支持部材６の上板部６１の上面から下枠本体４の第１突出部４２の第１上板部４２２および第２突出部４３の第２上板部４３２の上面までの寸法）と略同じ寸法となるように形成されている。
【００３５】
下枠引戸レール部材１は、それぞれ上方に開口し障子１７の戸車１７１が転動可能な４つの溝部５１，５１…が形成された溝部形成部５２と、溝部形成部５２の第１室１４側に連続して設けられて下枠引戸レール部材１から障子１７が外れることを防止する第１障子外れ防止部５３と、溝部形成部５２の第２室１５側に連続して設けられて下枠引戸レール部材１から障子１７が外れることを防止する第２障子外れ防止部５４と、を有している。
【００３６】
図４に示すように、溝部形成部５２は、それぞれ溝部５１が１つずつ形成され見込み方向に配列された４つの溝板部５２１〜５２４と、見込み方向に隣り合う溝板部の間に配置される３つの連結板部５２５〜５２７と、を有している。
溝板部５２１〜５２４は、見付け方向に延在し断面形状が上方に開口するＣ字形に形成され、それぞれの上面に溝部５１が形成されている。
【００３７】
溝部５１は、底面５１１と、底面５１１の第１室１４側の縁部から上方に延びる第１側面５１２と、底面５１１の第２室１５側の縁部から上方に延びる第２側面５１３と、を有している。底面５１１は、略水平面となるように形成されている。第１側面５１２は、底面５１１の第１室１４側の縁部から上方に向かって漸次第１室１４側に向かうように斜めに傾斜している。第２側面５１３は、底面５１１の第２室１５側の縁部から上方に向かって漸次第２室１５に向かうように斜めに傾斜している。
このため、底面５１１と第１側面５１２とがなす第１角部５１４が鈍角となり、底面５１１と第２側面５１３とがなす第２角部５１５が鈍角となっている。第１側面５１２と第２側面５１３とは、見込み方向に対称に形成されていて、第１角部５１４と第２角部５１５とが同じ角度に形成されている。
４つの溝板部５２１〜５２４を見込み方向の第１室１４側から第２室１５側に向かって第１〜第４溝板部５２１〜５２４とする。
【００３８】
３つの連結板部５２５〜５２７は、板面が水平面となる板状に形成されている。３つの連結板部５２５〜５２７は、それぞれ見込み方向の寸法が略同じ寸法に形成されている。３つの連結板部５２５〜５２７を見込み方向の第１室１４側から第２室１５側に向かって第１〜第３連結板部５２５〜５２７とする。第１連結板部５２５は、第１溝板部５２１と第２溝板部５２２とを連結している。第２連結板部５２６は、第２溝板部５２２と第３溝板部５２３とを連結している。第３連結板部５２７は、第３溝板部５２３と第４溝板部５２４とを連結している。
【００３９】
第１障子外れ防止部５３は、第１溝板部５２１の第１室１４側の側面の上縁部から第１室１４側に向かって延びる第１溝部上水平板部５３１と、第１溝部上水平板部５３１の第１室１４側の縁部から上方に向かって漸次第１室１４に向かうように傾斜する第１溝部上傾斜板部５３２と、第１溝部上傾斜板部５３２の上縁部から第１室１４側に水平に延びる第１上側水平板部５３３と、第１上側水平板部５３３の第１室１４側の縁部から下側に延びる第１鉛直板部５３４と、を有している。
【００４０】
第１溝部上水平板部５３１の上面には、水平面となる第１溝部上水平面５３５が形成されている。第１溝部上水平面５３５は、３つの連結板部５２５〜５２７それぞれと見込み方向の寸法が略同じ寸法となるように形成されている。
第１溝部上傾斜板部５３２の上面には、上方に向かって漸次第１室１４側に向かうように傾斜する第１溝部上傾斜面５３６が形成されている。第１溝部上傾斜面５３６は、溝部５１の第１側面５１２と略平行で略同じ高さ寸法となるように形成されている。このため、第１溝部上水平面５３５と第１溝部上傾斜面５３６とがなす第３角部５３７は、鈍角となっている。
第１上側水平板部５３３は、上面が水平面に形成されている。第１鉛直板部５３４は、下端部が溝部形成部５２の下端部と略同じ高さに配置されている。
【００４１】
第２障子外れ防止部５４は、第４溝板部５２４の第２室１５側の側面の上縁部から第２室１５側に向かって延びる第２溝部上水平板部５４１と、第２溝部上水平板部５４１の第２室１５側の縁部から上方に向かって漸次第２室１５に向かうように傾斜する第２溝部上傾斜板部５４２と、第２溝部上傾斜板部５４２の上縁部から第２室１５側に水平に延びる第２上側水平板部５４３と、第２上側水平板部５４３の第２室１５側の縁部から下側に延びる第２鉛直板部５４４と、を有している。
【００４２】
第２溝部上水平板部５４１の上面には、水平面となる第２溝部上水平面５４５が形成されている。第２溝部上水平面５４５は、３つの連結板部５２５〜５２７それぞれと見込み方向の寸法が略同じ寸法となるように形成されている。
第２溝部上傾斜板部５４２の上面には、上方に向かって漸次第２室１５側に向かうように傾斜する第２溝部上傾斜面５４６が形成されている。第２溝部上傾斜面５４６は、溝部５１の第２側面５１３と略平行で略同じ高さ寸法となるように形成されている。このため、第２溝部上水平面５４５と第２溝部上傾斜面５４６とがなす第４角部５４７は、鈍角となっている。
第２上側水平板部５４３は、上面が水平面に形成されている。第１上側水平板部５３３の上面と、第２上側水平板部５４３の上面とは略同じ高さに配置されている。
第２鉛直板部５４４は、下端部が溝部形成部５２の下端部および第１鉛直板部５３４の下端部と略同じ高さに配置されている。
【００４３】
図３に戻り、支持部材６は、下枠本体４の固定部４１の固定板部４１１の上に載置され、第１突出部４２と第２突出部４３との間に配置されている。支持部材６は、ネジなどの固定具で固定板部４１１に固定されている。本実施形態では、複数の支持部材６が見付け方向の所定の長さごとに、見込み方向に間隔をあけて２つずつ配置されている。
支持部材６は、断面形状がＣ字形状の長尺の部材で、見付け方向に延びて下側に開口する向きで配置されている。支持部材６は、上側に配置され板面が水平面となる上板部６１と、上板部６１の見込み方向の両縁部からそれぞれ下側に延びる一対の側板部６２，６２と、を有している。
【００４４】
支持部材６は、一対の側板部６２，６２の下端部が下枠本体４の固定板部４１１の上面と当接するように下枠本体４に固定されている。また、複数の支持部材６のうち、見込み方向の第１室１４側に配置された支持部材６は、第１室１４側の側板部６２が下枠本体４の第１折り返し板部４２３および第１突出片４１２それぞれの第２室１５側の面と当接するように下枠本体４に固定されている。複数の支持部材６のうち、見込み方向の第２１５側に配置された支持部材６は、第２室１５側の側板部６２が下枠本体４の第２折り返し板部４３３および第２突出片４１３の第１室１４側の面と当接するように下枠本体４に固定されている。
【００４５】
支持部材６の高さ寸法は、下枠本体４の固定板部４１１の上面から第１上板部４２２および第２上板部４３２の上面までの高さ寸法より小さく設定されている。このため、支持部材６が下枠本体４に固定されると、支持部材６の上板部６１の上面が、下枠本体４の第１上板部４２２および第２上板部４３２の上面よりも下側に配置される。
下枠本体４の第１突出部４２および第２突出部４３の間における複数の支持部材６の上板部６１よりも上側の部分を下枠引戸レール部材用凹部４４とする。下枠引戸レール部材用凹部４４には、下枠引戸レール部材１が配置されるように構成されている。
本実施形態では、支持部材６の上板部６１が本発明の載置部に相当し、第１突出部４２の第１折り返し板部４２３および第２突出部４３の第２折り返し板部４３３が本発明の当接部に相当している。
【００４６】
下枠引戸レール部材１が下枠引戸レール部材用凹部４４に配置されると、下枠引戸レール部材１は、支持部材６の上板部６１に載置され、第１折り返し板部４２３と第２折り返し板部４３３とに見込み方向から挟まれて、第１折り返し板部４２３および第２折り返し板部４３３と当接する。具体的には、下枠引戸レール部材１の下端部（溝部形成部５２の第１〜第４溝板部５２１〜５２４の下端面、第１障子外れ防止部５３の第１鉛直板部５３４の下端部、第２障子外れ防止部５４の第２鉛直板部５４４の下端部）が支持部材６の上板部６１の上面と当接する。また、下枠引戸レール部材１の第１室１４側の端面（第１障子外れ防止部５３の第１鉛直板部５３４の第１室１４側の端面）が下枠本体４の第１突出部４２と当接し、下枠引戸レール部材１の第２室１５側の端面（第２障子外れ防止部５４の第２鉛直板部５４４の第２室１５側の端面）が下枠本体４の第２突出部４３と当接する。
本実施形態では、支持部材６の上板部６１の上面に両面テープ６３が設けられていて、下枠引戸レール部材１の下面が両面テープ６３に接着されている。本実施形態では、下枠引戸レール部材１は、下枠引戸レール部材用凹部４４に嵌合している。なお、下枠本体４に取り付けられた下枠引戸レール部材１を使用者が上方に引き上げることで、下枠引戸レール部材１は、両面テープ６３から剥がれて下枠引戸レール部材用凹部４４から外れるように構成されている。
【００４７】
下枠引戸レール部材１が下枠引戸レール部材用凹部４４に配置されると、下枠引戸レール部材１の第１障子外れ防止部５３の第１上側水平板部５３３および第２障子外れ防止部５４の第２上側水平板部５４３それぞれの上面は、下枠本体４の第１突出部４２の第１上板部４２２および第２突出部４３の第２上板部４３２それぞれの上面と同じ高さに配置される。そして、第１上側水平板部５３３の上面と第１上板部４２２の上面とが略隙間なく連続して配置され、第２上側水平板部５４３の上面と第２上板部４３２の上面とが略隙間なく連続して配置されている。
【００４８】
図１に戻り、上枠部３は、壁部１２に固定される上枠本体７と、上枠本体７に固定されて障子１７の上縁部が入り込んで移動する上枠引戸レール部材８と、を有している。
上枠本体７は、上枠部３の見付け方向の全体にわたって延びるように配置される長尺の部材で、見付け方向に直交する断面形状が見付け方向全体にわたって略同じ形状となるように形成されている。上枠本体７は、開口部１３の縁部に沿って配置され壁部１２に固定される固定部７１と、固定部４１の第１室１４側の縁部から下方に突出する第１突出部７２と、固定部７１の第２室１５側の縁部から下方に突出する第２突出部７３と、を有している。第１突出部７２と第２突出部７３とは見込み方向に離間している。
【００４９】
固定部７１は、下面が略水平面となるよう配置される固定板部７１１と、それぞれ固定板部７１１の上面から下方に突出する第１突出片７１２および第２突出片７１３と、を有している。
固定板部７１１は、スペーサを介してネジなどの固定具で壁部１２に固定されている。
第１突出片７１２と第２突出片７１３とは、見込み方向に間隔をあけて配置されている。第１突出片７１２が第１室１４側に配置され、第２突出片７１３が第２室１５側に配置されている。
【００５０】
第１突出部７２は、固定部７１の第１室１４側の縁部から下方に延びる第１側板部７２１と、第１側板部７２１の下縁部から第２室１５側に延びる第１下板部７２２と、第１下板部７２２の第２室１５側の縁部から下側に延びる第１折り返し板部７２３と、を有している。第１折り返し板部７２３は、第１突出片７１２の鉛直方向下側に配置されている。第１折り返し板部の上端部と第１突出片７１２の下端部とは上下方向に離間している。
【００５１】
第２突出部７３は、固定部４１の第２室１５側の縁部から下方に延びる第２側板部７３１と、第２側板部７３１の上縁部から第１室１４側に延びる第２下板部７３２と、第２下板部７３２の第１室１４側の縁部から上側に延びる第２折り返し板部７３３と、を有している。第２折り返し板部７３３は、第２突出片７１３の鉛直方向下側に配置されている。第２折り返し板部の上端部と第２突出片７１３の上端部とは上下方向に離間している。
【００５２】
第１下板部７２２の下面７２２ａと第２下板部７３２の下面７３２ａとは、同じ高さに配置されている。
第１折り返し板部７２３の第１室１４側および第２折り返し板部７３３の第２室１５側にはそれぞれ額縁１９がネジなどの固定具で固定されている。本実施形態では、額縁１９の下面は、第１下板部７２２の下面７２２ａおよび第２下板部７３２の下面７３２ａと隙間なく面一に設けられている。
上枠本体７の固定部７１、第１突出部７２および第２突出部７３の内側の部分を上枠引戸レール部材用凹部７４とする。上枠引戸レール部材用凹部７４には、上枠引戸レール部材８が配置されるように構成されている。
【００５３】
上枠引戸レール部材８は、幅寸法（見込み方向の寸法）が上枠本体７の第１突出部７２と第２突出部７３との間の寸法と略同じ寸法に形成されている。上枠引戸レール部材８は、高さ寸法が後述する上枠引戸レール部材用凹部７４の深さ寸法（上枠本体７の固定部７１の下面から第１突出部７２の第１下板部７２２および第２突出部７３の第２下板部７３２の下面までの寸法）と略同じ寸法となるように形成されている。
【００５４】
図５に示すように、上枠引戸レール部材８は、それぞれ下方に開口し障子１７（図１参照）の上縁部が入り込んで見付け方向に移動可能な４つの溝部８１，８１…が形成された溝部形成部８２と、溝部形成部８２の第１室１４側に連続する第１側部８３と、溝部形成部８２の第２室１５側に連続する第２側部８４と、を有している。
溝部形成部８２は、板面が水平面となる上板部８２１と、それぞれ上板部８２１から下側に突出し見込み方向に間隔をあけて配置された５枚の鉛直板部８２２〜８２６と、を有している。５枚の鉛直板部８２２〜８２６は、それぞれ板面が見込み方向を向く向きに平行に配置されている。５枚の鉛直板部８２２〜８２６を第１室１４側から第２室１５側に向かって第１〜第５鉛直板部８２２〜８２６とする。
【００５５】
第１鉛直板部８２２は、上板部８２１の第１室１４側の縁部から下側に延びていて、第２〜第４鉛直板部２２３〜２２５は上板部８２１見込み方向の中間部から下側に延びていて、第５鉛直板部８２６は、上板部８２１の第２室１５側の縁部から下側に延びている。上板部８２１の下側で見込み方向に隣り合う鉛直板部の間に、それぞれ下側に開口する溝部８１が形成されている。
本実施形態では、第１〜第５鉛直板部８２２〜８２６は、それぞれ上板部８２１から鉛直方法下側に延びていて、それぞれが上板部８２１となす角部は略直角となっている。
【００５６】
第１側部８３は、第１鉛直板部８２２の下縁部から第１室１４側に延びる第１下板部８３１と、第１下板部８３１の第１室１４側の縁部から上側に延びる第１側板部８３２と、を有している。
第２側部８４は、第５鉛直板部８２６の下縁部から第２室１５側に延びる第２下板部８４１と、第２下板部８４１の第１室１４側の縁部から上側に延びる第２側板部８４２と、を有している。
【００５７】
上枠引戸レール部材８が上枠引戸レール部材用凹部７４（図１参照）に設置されると、上枠引戸レール部材８は、上枠引戸レール部材用凹部７４に嵌合している。そして、上枠引戸レール部材８の上端部（上板部８２１、第１側板部８３２、および第２側板部８４２それぞれの上端部が上枠本体７の固定板部７１１の下面と当接する。また、上枠引戸レール部材８の第１室側の端面（第１側板部８３２の第１室１４側の面）が上枠本体７の第１突出部７２と当接し、第２室１５側の端面（第２側板部８４２の第２室１５側の面）が上枠本体７の第２突出部７３と当接する。
本実施形態では、上枠引戸レール部材８は、ネジなどの固定具で上枠本体７に固定されている。
【００５８】
上枠引戸レール部材８が上枠引戸レール部材用凹部７４に設置されると、上枠引戸レール部材８の第１下板部８３１および第２下板部８４１の下面は、上枠本体７の第１下板部７２２および第２下板部７３２の下面と略同じ高さに配置される。そして、上枠引戸レール部材８の第１下板部８３１の下面と、上枠本体７の第１下板部７２２の下面とが略隙間なく連続して配置され、上枠引戸レール部材８の第２下板部８４１と上枠本体７の第２下板部７３２の下面とが略隙間なく連続して配置されている。
【００５９】
次に、本実施形態による建具の施工方法について説明する。
まず、壁部１２の開口部１３に枠部１６を固定する（枠部固定工程）。
枠部固定工程のうち、下枠部２の下枠本体４を壁部１２の開口部１３に固定する下枠固定工程では、まず、下枠本体４を壁部１２にネジなどの固定具で固定する。続いて、支持部材６をネジなどの固定具で下枠本体４に固定する。本実施形態では、支持部材６を下枠本体４に固定するとともに壁部１２にも固定する。支持部材６を下枠本体４に固定することで下枠引戸レール部材用凹部４４が形成される。
【００６０】
続いて、下枠引戸レール部材用凹部４４に下枠引戸レール部材１を設置する（下枠引戸レール部材設置工程）。
下枠引戸レール部材１を支持部材６の上板部６１に載置し、第１折り返し板部４２３および第２折り返し板部４３３に見込み方向から挟まれて、第１折り返し板部４２３および第２折り返し板部４３３と当接した状態とする。このとき、下枠引戸レール部材１の下端面を支持部材６の上板部６１の上面に両面テープ６３で接着する。
【００６１】
このように、下枠引戸レール部材１を下枠引戸レール部材用凹部４４に配置すると、下枠引戸レール部材１の第１障子外れ防止部５３の第１上側水平板部５３３および第２障子外れ防止部５４の第２上側水平板部５４３それぞれの上面は、下枠本体４の第１突出部４２の第１上板部４２２および第２突出部４３の第２上板部４３２それぞれの上面と同じ高さに配置される。そして、第１上側水平板部５３３の上面と第１上板部４２２の上面とが略隙間なく連続して配置され、第２上側水平板部５４３の上面と第２上板部４３２の上面とが略隙間なく連続して配置されている。
【００６２】
下枠引戸レール部材固定工程と前後して、既設の上枠部３Ｂに上枠引戸レール部材８を固定する（上枠引戸レール部材設置工程）。
上枠引戸レール部材８を、上端部を上枠本体７の固定板部７１１の下面と当接させ、第１室側の端面を上枠本体７の第１突出部７２と当接させ、第２室１５側の端面を上枠本体７の第２突出部７３と当接させる。そして、上枠引戸レール部材８をネジなどの固定具で上枠本体７に固定する。これにより、上枠引戸レール部材８が上枠引戸レール部材用凹部７４に設置される。
【００６３】
このように、上枠引戸レール部材８を上枠引戸レール部材用凹部７４に設置すると、上枠引戸レール部材８の第１下板部８３１および第２下板部８４１の下面が上枠本体７の第１下板部７２２および第２下板部７３２の下面と略同じ高さに配置される。また、上枠引戸レール部材８の第１下板部８３１の下面と、上枠本体７の第１下板部７２２の下面とが略隙間なく連続して配置され、上枠引戸レール部材８の第２下板部８４１と上枠本体７の第２下板部７３２の下面とが略隙間なく連続して配置される。
【００６４】
続いて、枠部１６に（下枠引戸レール部材１と上枠引戸レール部材８の間に）新設の障子１７を設置する障子設置工程を行う。
これにより、建具１１が施工される。
【００６５】
次に、上述した本実施形態による下枠引戸レール部材１、建具１１および建具の施工方法の作用・効果について図面を用いて説明する。
上述した本実施形態による下枠引戸レール部材１は、第１障子外れ防止部５３および第２障子外れ防止部５４が設けられている。そして、第１障子外れ防止部５３は、第１溝板部５２１の溝部５１の第１側面５１２の上端部から側方へ見込み方向の第１室１４側に水平に延びる第１溝部上水平面５３５と、第１溝部上水平面５３５から斜め上方に延びる第１溝部上傾斜面５３６と、を有し、第２障子外れ防止部５４は、第４溝板部５２４の溝部５１の第２側面５１３の上端部から見込み方向の第２室１５側に水平に延びる第２溝部上水平面５４５と、第２溝部上水平面５４５から斜め上方に延びる第２溝部上傾斜面５４６と、を有している。
【００６６】
このため、万が一、戸車１７１が溝部５１から外れて第１溝部上水平面５３５または第２溝部上水平面５４５に乗り上げた場合でも、第１溝部上傾斜面５３６または第２溝部上傾斜面５４６に当接して側方への移動が止まるため、戸車１７１が下枠引戸レール部材１から外れて障子１７が枠部１６から外れることを防止できる。このように障子１７が枠部１６から外れることを防止するために第１溝部上水平面５３５、第１溝部上傾斜面５３６、第２溝部上水平面５４５および第２溝部上傾斜面５４６が設けられている場合でも、第１溝部上水平面５３５と第１溝部上傾斜面５３６とがなす第３角部５３７、および第２溝部上水平面５４５と第２溝部上傾斜面５４６とがなす第４角部５４７が鈍角に形成されていることにより、この第３角部５３７および第４角部５４７が直角や鋭角に形成されている場合と比べて角部を容易に清掃することができる。
【００６７】
また、下枠引戸レール部材１は、溝部５１の底面５１１と第１側面５１２とがなす第１角部５１４が鈍角に形成され、底面５１１と第２側面５１３とがなす第２角部５１５が鈍角に形成されている。これにより、溝部５１の底面５１１と第１側面５１２および第２側面５１３とがなす角部が直角や鋭角である場合と比べて溝部５１を容易に清掃することができる。
【００６８】
また、第１溝部上水平面５３５および第２溝部上水平面５４５は、溝部５１の底面５１１と平行に配置され、第１溝部上傾斜面５３６は、溝部５１の第１側面５１２と平行に配置されるとともに溝部５１の第１側面５１２と同じ高さ寸法に形成され、第２溝部上傾斜面５４６は、溝部５１の第２側面５１３と平行に配置されるとともに溝部５１の第２側面５１３と同じ高さ寸法に形成されている。これにより、溝部５１の底面５１１、第１側面５１２および第２側面５１３と、第１溝部上水平面５３５、第２溝部上水平面５４５、第１溝部上傾斜面５３６および第２溝部上傾斜面５４６と、を同じように清掃することができる。
【００６９】
また、下枠引戸レール部材１は、下枠本体４に設けられると、支持部材６の上板部６１に載置され、第１折り返し板部４２３と第２折り返し板部４３３とに見込み方向から挟まれて、第１折り返し板部４２３および第２折り返し板部４３３と当接した状態となり、上側に引き上げられることで下枠本体４から取り外すことができる。これにより、下枠引戸レール部材１を下枠本体４から取り外して清掃することができるため、下枠引戸レール部材１の清掃を容易に行うことができる。特に、下枠引戸レール部材１が掃除しにくい場所にある場合でも、下枠本体４から取り外すことで容易に清掃することができる。
また、下枠引戸レール部材１が下枠本体４から取り外せることにより、下枠引戸レール部材１が汚れたり破損したりして交換が必要となった場合に、下枠部２全体ではなく下枠引戸レール部材１のみを交換すればよいため、下枠引戸レール部材１が下枠本体４と一体に設けられている場合と比べて、下枠引戸レール部材１の交換を容易に行うことができる。
【００７０】
また、下枠引戸レール部材１が下枠部２に形成された下枠引戸レール部材用凹部４４に嵌合可能に構成されていることにより、下枠引戸レール部材１を下枠部２に対して容易に着脱することができる。また、ネジなどの固定具を使用せずに下枠引戸レール部材１を下枠部２に取り付けることができるため、固定具が設けられていてその固定具が露出している場合と比べて、下枠部２の清掃を容易に行うことができる。
【００７１】
また、本実施形態による建具１１の施工方法では、壁部１２に固定された下枠本体４に下枠引戸レール部材１を設けるため、建具１１が施工された後でも下枠引戸レール部材１を下枠本体４から取り外すことができる。これにより、下枠引戸レール部材１を下枠本体４から取り外して清掃することができるため、下枠引戸レール部材１の清掃を容易に行うことができる。特に、下枠引戸レール部材１が掃除しにくい場所にある場合でも、下枠本体４から取り外すことで容易に清掃することができる。
また、下枠引戸レール部材１が下枠本体４から取り外せることにより、下枠引戸レール部材１が汚れたり破損したりして交換が必要となった場合に、下枠部２全体ではなく下枠引戸レール部材１のみを交換すればよいため、下枠引戸レール部材１が下枠本体４に一体に設けられている場合と比べて、下枠引戸レール部材１の交換を容易に行うことができる。
また、本実施形態では、壁部１２に固定された下枠本体４および支持部材６に下枠引戸レール部材１を取り付けているため、下枠本体４および支持部材６を壁部１２に固定するための固定具を覆うように下枠引戸レール部材１を下枠本体４および支持部材６に取り付けることができる。
【００７２】
（第２実施形態）
次に、第２実施形態について、添付図面に基づいて説明するが、上述の第１実施形態と同一又は同様な部材、部分には同一の符号を用いて説明を省略し、実施形態と異なる構成について説明する。
図７および図８に示す第２実施形態では、下枠引戸レール部材１（図７参照）および上枠引戸レール部材８（図８参照）を建具１１の改修工事の際に用いている。第２実施形態では、建具１１の改修方法について説明する。
建具１１の改修方法では、下枠引戸レール部材１を既設の下枠部２Ｂに取り付け、上枠引戸レール部材８を既設の上枠部３Ｂに取付けている。
【００７３】
本実施形態では、既設の下枠部２Ｂは、障子１７の戸車１７１が転動する溝部を有しておらず、平坦面に形成された上面２１を障子１７の戸車１７１を転動するように構成されている。下枠引戸レール部材１は、既設の下枠部２Ｂの上面２１の上に載置され、第１上側水平板部５３３および第２上側水平板部５４３がネジなどの固定具で既設の下枠部２に固定されている。
既設の上枠部３Ｂは、下面３１の少なくとも一部が平坦面に形成されている。上枠引戸レール部材８は、既設の上枠部３Ｂの下面３１の下に設置され、上板部８２１がネジなどの固定具で既設の上枠部３の下面３１の平坦面に固定されている。
この建具１１の改修工事では、既設の建具１１の障子１７撤去し、既設の建具１１の枠部１６Ｂをそのまま利用して、既設の枠部１６Ｂに新たに下枠引戸レール部材１および上枠引戸レール部材８を取り付けて、下枠引戸レール部材１と上枠引戸レール部材８との間に新設の障子１７を設けている。
【００７４】
建具１１の改修方法について説明する。
まず、既設の障子１７を撤去する既設障子撤去工程を行う。
続いて、既設の下枠部２Ｂに下枠引戸レール部材１を固定する下枠引戸レール部材設置工程を行う。
下枠引戸レール部材固定工程と前後して、既設の上枠部３Ｂに上枠引戸レール部材８を固定する上枠引戸レール部材設置工程を行う。
続いて、枠部１６に（下枠引戸レール部材１と上枠引戸レール部材８の間に）新設の障子１７を設置する障子設置工程を行う。
【００７５】
第２実施形態では、建具１１の改修工事において既設の下枠部２Ｂおよび上枠部３Ｂを利用することができる。このため、建具１１の改修工事を短期間で容易に行うことができる。
また、既設の下枠部２Ｂに下枠引戸レール部材１を設けるため、建具１１が改修された後でも下枠引戸レール部材１を下枠部２Ｂから取り外すことができる。これにより、下枠引戸レール部材１を下枠部２から取り外して清掃することができるため、下枠引戸レール部材１の清掃を容易に行うことができる。特に、下枠引戸レール部材１が掃除しにくい場所にある場合でも、下枠部２Ｂから取り外すことで容易に清掃することができる。
また、下枠引戸レール部材１が下枠部２Ｂから取り外せることにより、下枠引戸レール部材１が汚れたり破損したりして交換が必要となった場合に、下枠全体ではなく下枠引戸レール部材１のみを交換すればよいため、下枠引戸レール部材１が下枠に一体に設けられている場合と比べて、下枠引戸レール部材１の交換を容易に行うことができる。
【００７６】
以上、本発明による下枠引戸レール部材の実施形態について説明したが、本発明は上記の実施形態に限定されるものではなく、その趣旨を逸脱しない範囲で適宜変更可能である。
例えば、上記の実施形態では、下枠引戸レール部材１は、下枠本体４に対して着脱可能で、かつ第１障子外れ防止部５３および第２障子外れ防止部５４を有しているが、下枠本体４に対して着脱可能であれば、第１障子外れ防止部５３および第２障子外れ防止部５４を有していなくてもよいし、第１障子外れ防止部５３および第２障子外れ防止部５４を有していれば、下枠引戸レール部材１が下枠本体４に対して固定されていたり、下枠本体４と一体に設けられていたりしてもよい。
【００７７】
また、下枠引戸レール部材１には、上記の実施形態の第１障子外れ防止部５３および第２障子外れ防止部５４に代わる障子１７の戸車１７１が外れることを防止する機構が設けられていてもよい。
また、上記実施形態では、第１障子外れ防止部５３および第２障子外れ防止部５４は、溝部形成部５２と一体に設けられているが、溝部形成部５２と別体に設けられていてもよいし、障子１７が枠部１６から外れることを防止する機構が下枠本体４に設けられていてもよい。
【００７８】
また、上記の実施形態では、溝部５１の第１角部５１４および第２角部５１５がそれぞれ鈍角に形成されているが直角や鋭角に形成されていてもよい。
また、上記の実施形態では、第１障子外れ防止部５３の第１溝部上水平面５３５と第１溝部上傾斜面５３６とがなす第３角部５３７、および第２障子外れ防止部５４の第２溝部上水平面５４５と第２溝部上傾斜面５４６とがなす第４角部５４７がそれぞれ鈍角に形成されているが直角や鋭角に形成されていてもよい。
【００７９】
また、上記の実施形態では、第１溝部上水平面５３５および第２溝部上水平面５４５は、溝部５１の底面５１１と平行に配置されている。第１溝部上傾斜面５３６は、溝部５１の第１側面５１２と平行に配置され、かつ溝部５１の第１側面５１２と同じ高さ寸法に形成されている。第２溝部上傾斜面５４６は、溝部５１の第２側面５１３と平行に配置され、かつ溝部５１の第２側面５１３と同じ高さ寸法に形成されている。これに対し、第１溝部上水平面５３５、第２溝部上水平面５４５、第１溝部上傾斜面５３６および第２溝部上傾斜面５４６は、上記以外の形状に形成されていてもよい。
【００８０】
また、上記の実施形態では、下枠部２に下枠引戸レール部材用凹部４４が形成されているが、下枠本体４に下枠引戸レール部材１を着脱可能であれば、下枠部２に下枠引戸レール部材用凹部４４が形成されていなくてもよい。
【００８１】
また、上記の実施形態では、下枠本体４の第１突出部４２と第２突出部４３との間に支持部材６が設けられて、支持部材６の上に下枠引戸レール部材１が設けられるように構成されているが、支持部材６が設けられず、下枠本体４が直接下枠引戸レール部材１を支持可能に構成されていてもよい。
また、上記の実施形態では、支持部材６は、断面形状がＣ字形状の長尺の部材で、見付け方向に延びて下側に開口する向きで配置され、複数の支持部材６が見付け方向の所定の長さごとに、見込み方向に間隔をあけて２つずつ配置されているが、支持部材の形状や配置は適宜設定されてよい。
【００８２】
また、上記の実施形態では、支持部材６の上板部６１の上面に両面テープ６３が設けられていて、下枠引戸レール部材１の下面が両面テープに接着されているが、支持部材６の上板部６１の上面に両面テープ６３が設けられておらず、下枠引戸レール部材１が支持部材６の上板部６１の上面に接着されずに載置されていてもよい。また、下枠引戸レール部材１が下枠本体４や支持部材６にネジなどの固定具で固定されていてもよい。また、下枠引戸レール部材１が下枠本体４や支持部材６にネジなどの固定具で固定されている場合は、下枠引戸レール部材１が下枠本体４や支持部材６から取り外しできるように固定されていてもよいし、下枠引戸レール部材１が下枠本体４や支持部材６から取り外しできないように固定されていてもよい。
また、上記の実施形態では、上枠部３は、上枠本体７と、溝部８１が形成されて上枠本体７と別体に形成された上枠引戸レール部材８とを有する構成であるが、上枠本体７に溝部８１が形成されている構成であってもよく、上枠部３の形態は適宜設定されてよい。
【００８３】
また、上記の実施形態では、壁部１２に固定された下枠本体４および支持部材６に下枠引戸レール部材１を取り付けているが、下枠本体４および支持部材６に下枠引戸レール部材１を取り付けてから、下枠本体４、支持部材６および下枠引戸レール部材１を壁部１２に固定するようにしてもよい。
【００８４】
また、上記の第２実施形態では、既設の下枠部２Ｂには、障子１７の戸車１７１が転動する溝部が形成されておらず、平坦面に形成された下枠部２Ｂの上面２１に下枠引戸レール部材１を設けている。これに対して、既設の下枠部２Ｂに、障子１７の戸車１７１が転動する溝部が形成されていて、下枠部２Ｂの溝部を覆うように下枠引戸レール部材１を設けてもよい。
【符号の説明】
【００８５】
１  下枠引戸レール部材（引戸レール部材）
２  下枠部
３  上枠部
４  下枠本体（下枠）
１２  壁部（躯体）
１６  枠部
１７  障子
５３  第１障子外れ防止部（外れ防止部）
５４  第２障子外れ防止部（外れ防止部）
６１  上板部（載置部）
１７１  戸車
４２３  第１折り返し板部（当接部）
４３３  第２折り返し板部（当接部）
５１４  第１角部
５１５  第２角部
５３７  第３角部
５４７  第４角部
【図１】
2018090977.tif 000003
【図２】
2018090977.tif 000004
【図３】
2018090977.tif 000005
【図４】
2018090977.tif 000006
【図５】
2018090977.tif 000007
【図６】
2018090977.tif 000008
【図７】
2018090977.tif 000009